(57)【要約】【課題】  周囲の騒音の大小に関わらず、また、静寂さを求められる環境であっても利用者に設定した時刻を通知できるアラーム装置、机アラームシステム及びプログラムを提供する。【解決手段】  アラーム装置１００が通知する時刻を設定する時刻設定手段１０１と、設定した時刻に机２００の天板２０１昇降させる昇降命令を送信する昇降命令送信手段１０２を備え、昇降命令を机２００の天板２０１が上昇及び／又は下降を一回又は二回以上繰り返す命令とすることにより、天板２０１を小刻みに昇降させる。【選択図】  図１
2020106442.tif 000002
【特許請求の範囲】
【請求項１】
設定した時刻を利用者に通知するアラーム装置であって、
前記時刻を設定する時刻設定手段と、
前記設定した時刻に、昇降命令を受信して天板を上昇及び／又は下降させる机に前記昇降命令を送信する昇降命令送信手段と、
を備え、
前記昇降命令が、前記天板の上昇及び／又は下降を一回又は二回以上繰り返すことにより前記天板を小刻みに昇降させる
ことを特徴とする、アラーム装置。
【請求項２】
前記昇降命令送信手段は、前記机に近距離無線通信を介して前記昇降命令を送信することを特徴とする、請求項１記載のアラーム装置。
【請求項３】
前記アラーム装置は、前記机が設置された部屋の中に設けられることを特徴とする、請求項２記載のアラーム装置。
【請求項４】
前記アラーム装置は、前記利用者が所持する携帯端末であることを特徴とする、請求項２記載のアラーム装置。
【請求項５】
前記アラーム装置は、前記机が設置された部屋に設けた入退室管理端末であることを特徴とする、請求項２記載のアラーム装置。
【請求項６】
前記昇降命令送信手段は、前記机に前記通信ネットワークを介して前記昇降命令を送信することを特徴とする、請求項１記載のアラーム装置。
【請求項７】
前記アラーム装置は、さらに、前記机が設置された部屋の利用予約を登録する利用予約登録手段を備え、
前記時刻設定手段は、前記登録された利用予約の終了時刻に基づいて前記利用者に通知する時刻を設定する
ことを特徴とする、請求項６記載のアラーム装置。
【請求項８】
前記昇降命令は、前記天板を略３８ｍｍ／ｓの速度において７ｍｍ〜１０ｍｍの範囲で二回又は三回上昇及び下降させる命令である
ことを特徴である、請求項１〜７のいずれかに記載のアラーム装置。
【請求項９】
昇降命令を受信して天板を上昇及び／又は下降させる机と、請求項１〜８のいずれかに記載のアラーム装置を備える机アラームシステム。
【請求項１０】
コンピュータを請求項１〜８のいずれかに記載のアラーム装置として機能させるプログラム。
【発明の詳細な説明】
【技術分野】
【０００１】
本発明はアラーム装置、机アラームシステム及びプログラムに関し、具体的には、設定した時刻を利用者に通知するアラーム装置、机アラームシステム及びプログラムに関する。
【背景技術】
【０００２】
会議の終了時刻を利用者に通知する情報システムとして、例えば特許文献１の遠隔会議システムが知られている。
【０００３】
特許文献１の遠隔会議システムは、会議開始前にキーボード等を操作して会議時間を入力すると、当該入力した時間をリアルタイムクロックにより管理し、設定した会議終了時間が到来するとスピーカから警告を発するものである。
【先行技術文献】
【特許文献】
【０００４】
【特許文献１】特開平６−１２１０６０号公報
【発明の概要】
【発明が解決しようとする課題】
【０００５】
従来技術のように、時刻の通知を音声により行う場合には、例えば会議室において議論が活発化している等喧騒した状況下では通知する音量を上げて、確実に利用者が通知を認識できるようにする必要がある。
【０００６】
しかしながら、一方で議論が収束している等静寂な状況下において大音量の通知を行うと、利用者にとって不快なものとなってしまうという問題があった。
【０００７】
また、会議が行われる場所は壁等で周囲と隔離された会議室のみではなく、例えば一部のみパーティションで区切られたスペースで行われる場合も多い。この様な場合に音声により通知を行うと周囲の人間に対して不快なものとなってしまうという問題があった。
【０００８】
本発明は前述の問題に鑑み、周囲の騒音の大小に関わらず、また、静寂さを求められる環境であっても利用者に設定した時刻を通知できるアラーム装置、机アラームシステム及びプログラムを提供することを、その目的とするものである。
【課題を解決するための手段】
【０００９】
前述の課題を解決することを目的としてなされた本発明に係るアラーム装置は、設定した時刻を利用者に通知するアラーム装置であって、前記時刻を設定する時刻設定手段と、前記設定した時刻に、昇降命令を受信して天板を上昇及び／又は下降させる机に前記昇降命令を送信する昇降命令送信手段と、を備え、前記昇降命令が、前記天板の上昇及び／又は下降を一回又は二回以上繰り返すことにより前記天板を小刻みに昇降させることを特徴としている。
【００１０】
本発明に係るアラーム装置において、前記昇降命令送信手段は、前記机に近距離無線通信を介して前記昇降命令を送信するようにしてもよい。この場合には、本発明に係るアラーム装置は、前記机が設置された部屋の中に設けられるようにしてもよいし、前記利用者が所持する携帯端末であってもよく、また、前記机が設置された部屋に設けた入退室管理端末であってもよい。
【００１１】
本発明に係るアラーム装置において、前記昇降命令送信手段は、前記机に前記通信ネットワークを介して前記昇降命令を送信するようにしてもよい。この場合には、本発明に係るアラーム装置は、さらに、前記机が設置された部屋の利用予約を登録する利用予約登録手段を備え、前記時刻設定手段は、前記登録された利用予約の終了時刻に基づいて前記利用者に通知する時刻を設定するようにしてもよい。
【００１２】
本発明に係るアラーム装置は、前記昇降命令が、前記天板を略３８ｍｍ／ｓの速度において７ｍｍ〜１０ｍｍの範囲で二回又は三回上昇及び下降させる命令であるようにしてもよい。
【発明の効果】
【００１３】
本発明によれば、アラーム装置が設定された時刻に天板の上昇及び／又は下降を一回又は二回以上繰り返す命令を昇降命令として机に送信し、当該昇降命令を机が受信して天板を小刻みに昇降させることにより利用者に設定した時刻を通知する。この構成により、周囲の騒音の大小に関わらず、また、静寂さを求められる環境であっても利用者に設定した時刻を通知することができる。
【図面の簡単な説明】
【００１４】
【図１】本発明の実施の形態１に係るアラーム装置の構成を示す図である。
【図２】同実施の形態１における、机の斜視図である。
【図３】本発明の実施の形態２に係るアラーム装置の構成を示す図である。
【図４】本発明の実施の形態３に係るアラーム装置の構成を示す図である。
【図５】本発明の実施の形態４に係るアラーム装置の構成を示す図である。
【発明を実施するための形態】
【００１５】
以下、本発明の実施の形態について、図面を参照して説明する。
【００１６】
[実施の形態１]
図１は、本発明の実施の形態１に係るアラーム装置の構成を示す図である。図１で示すように、本実施の形態１に係るアラーム装置１００は、時刻設定手段１０１と、昇降命令送信手段１０２を備えており、机２００と共に机アラームシステム３００を構成する。
【００１７】
本実施の形態１に係るアラーム装置１００は、机２００を利用する利用者が所持するスマートフォン等の携帯端末を用いて構成される。アラーム装置１００として用いるスマートフォン等携帯端末はＣＰＵ、メモリ、二次記憶装置、タッチパネル型ディスプレイ、近距離無線通信装置、その他のデバイスがバスによって接続されたコンピュータであり、二次記憶装置に予め記憶したプログラムをメモリにロードしてＣＰＵが実行することにより、スマートフォン等携帯端末をアラーム装置１００として機能させる。
【００１８】
なお、アラーム装置１００として用いる端末は、利用者が所持する周知のコンピュータを用いてよく、例えばタブレット型コンピュータや、ラップトップ型コンピュータを用いてもよいし、時計型やリストバンド型、眼鏡型等利用者が身体に装着するウェアラブルデバイスや周知のＰＤＡ（Ｐｅｒｓｏｎａｌ  Ｄａｔａ  Ａｓｓｉｓｔａｎｔ）端末を用いてもよい。ただし、本実施の形態１では、後述するように、アラーム装置１００と机２００が近距離無線通信を行うので、アラーム装置１００として用いるコンピュータは近距離無線通信を行うための通信装置を備えている必要がある。
【００１９】
時刻設定手段１０１は、後述する昇降命令を送信する時刻をアラーム装置１００に設定する手段である。利用者がアラーム装置１００を操作して設定する時刻を入力すると、時刻設定手段１０１により当該入力した時刻がアラーム装置１００に記録されることで、通知する時刻が設定される。
【００２０】
昇降命令送信手段１０２は、前述の時刻設定手段１０１が設定した時刻に後述する昇降命令を机２００に送信する。本実施の形態１において、昇降命令送信手段１０２は、近距離無線通信により机２００に昇降命令を送信する。
【００２１】
机２００は、アラーム装置１００から昇降命令を受信して、天板を上昇及び／又は下降させる机である。図２は、本実施の形態１における机２００の斜視図である。図１及び図２で示すように、机２００は、天板２０１と、脚２０３が支柱２０２により接続されており、支柱を伸縮させることにより天板２０１を上昇及び／又は下降させる昇降装置２０４を備えている。
【００２２】
本実施の形態１において、机２００が備える昇降装置２０４は、通信装置（図示しない）を追加することにより、机２００の外部から通信によって天板２０１を上昇及び／又は下降させることができる。本実施の形態１では、アラーム装置１００の昇降命令送信手段１０２が当該通信装置を介して机２００と通信する。なお、前述の通り、アラーム装置１００と机２００の通信には近距離無線通信を用いる。
【００２３】
本実施の形態１において、時刻設定手段１０１により利用者が任意の時刻を設定すると、当該設定した時刻に昇降命令送信手段１０２が机２００に昇降命令を送信する。当該昇降命令は、机２００の天板２０１の上昇及び／下降を一回又は二回以上繰り返すことにより、天板２０１を小刻みに昇降させる命令である。
【００２４】
昇降命令の具体的な構成、すなわち、天板２０１をどのように上昇及び／下降させるかについては任意に選択してよいが、略３８ｍｍ／ｓの速度により７ｍｍ〜１０ｍｍの範囲で天板２０１を二回又は三回、繰り返し上昇及び下降させる命令に構成すると、利用者は天板２０１が小刻みに昇降していることを明確に知覚できるので、設定した時刻の通知を確実なものとすることができる。
【００２５】
本実施の形態１では、昇降命令を上記の範囲として、略３８ｍｍ／ｓの速度で三回、天板２０１を略７ｍｍ上昇及び下降させる構成としている。また、本実施の形態１では、天板２０１の上昇と下降の間に略０．２秒の待機時間を挟む構成としている。
【００２６】
本実施の形態１では、アラーム装置１００の昇降命令送信手段１０２が送信する昇降命令により机２００の天板２０１を小刻みに昇降させることで、利用者に設定した時刻を通知する。この構成により、本実施の形態１に係るアラーム装置は、周囲の騒音の大小に関わらず、また、静寂さを求められる環境であっても利用者に設定した時刻を通知することができる。また、机の上昇／下降速度が低い場合や、上昇／下降の距離が短い場合には、利用者が通知に気づかない恐れがあるが、本実施の形態１では、昇降命令を、略３８ｍｍ／ｓの速度において７ｍｍ〜１０ｍｍの範囲で天板２０１を二回又は三回上昇及び下降させる命令とすることで、設定した時刻を利用者に確実に通知することができる。
【００２７】
［実施の形態２］
図３は、本発明の実施の形態２の構成を示した図である。図３で示すように、本実施の形態２に係るアラーム装置１１０は、時刻設定手段１１１と、昇降命令送信手段１１２と、入退室管理手段１１３を備えており、会議室４００の出入り口近傍に設置されている。
【００２８】
本実施の形態２に係るアラーム装置１１０は、ハードウェアとしてはタブレット型コンピュータを用いており、利用者による会議室４００の入退室を管理する入退室管理端末として、会議室４００の出入り口近傍に設置される。本実施の形態２は、実施の形態１と同様に、コンピュータをアラーム装置１１０として機能させるプログラムを上記タブレット型コンピュータに記録し、当該記録したプログラムを実行することでタブレット型コンピュータをアラーム装置１１０として機能させる構成である。なお、アラーム装置１１０を構成する入退室管理端末は、カードリーダやキー入力装置を備えて会議室４００の扉の施錠、解錠を制御する機能を有するように構成してもよい。
【００２９】
本実施の形態２において、時刻設定手段１１１と昇降命令送信手段１１２は、実施の形態１における時刻設定手段１０１及び昇降命令送信手段１０２と同様の構成であり、また、昇降命令送信手段１１２が送信する昇降命令も、実施の形態１における昇降命令と同様の構成である。
【００３０】
また、本実施の形態２において、アラーム装置１１０が通信する机２００についても、実施の形態１における机２００と同様の構成であり、アラーム装置１１０が机２００と近距離無線通信により通信を行う構成も、実施の形態１と同様である。さらに、アラーム装置１１０と机２００により机アラームシステム３１０を構成する点についても、実施の形態１と同様である。
【００３１】
本実施の形態２において、アラーム装置１１０は、会議室４００の入退室を管理する端末を用いて構成されており、アラーム装置１１０として機能するための時刻設定手段１１１及び昇降命令送信手段１１２の他に、会議室４００の入退室を管理する入退室管理手段１１３を備えている。
【００３２】
入退室管理手段１１３は、利用者による会議室４００の入退室を管理する。具体的には、利用者が会議室４００の利用を開始する際に、入退室管理手段１１３により利用者の入室時刻をアラーム装置１１０の二次記憶装置に記録する。入退室管理手段１１３は、上記利用者の入室時刻を記録する際に、当該利用の予定終了時刻を時刻設定手段１１１により設定する。なお、時刻設定手段１１１により設定される時刻は、上記予定終了時刻でもよいし、又は、予定終了時刻の所定時間前となる時刻、例えば予定終了時刻の５分前となる時刻としてもよい。
【００３３】
時刻設定手段１１１の機能により時刻が設定されると、当該時刻に到達したタイミングで昇降命令送信手段１１２が昇降命令を机２００に送信し、机２００の天板２０１を小刻みに昇降させて利用者に設定時刻を通知する。
【００３４】
本実施の形態２では、会議室４００の入り口近傍に設置された入退室管理端末を用いてアラーム装置１１０を構成する。アラーム装置１１０は設定した時刻を利用者に通知する機能と、利用者による会議室４００の入退室を管理する機能を兼ねることができるので、アラーム装置１１０、及び、机アラームシステム３１０を低いコストで導入することができる。
【００３５】
［実施の形態３］
図４は、本発明の実施の形態３の構成を示した図である。図４で示すように、本実施の形態３は、アラーム装置１２０を会議室４００の室内に設置する構成であり、アラーム装置１２０は、時刻設定手段１２１と昇降命令送信手段１２２を備えている。
【００３６】
本実施の形態３において、時刻設定手段１２１と昇降命令送信手段１２２は、実施の形態１における時刻設定手段１０１及び昇降命令送信手段１０２と同様の構成であり、また、昇降命令送信手段１２２が送信する昇降命令も、実施の形態１における昇降命令と同様の構成である。
【００３７】
また、本実施の形態２において、アラーム装置１２０が通信する机２００についても、実施の形態１における机２００と同様の構成であり、アラーム装置１２０が机２００と近距離無線通信により通信を行う構成も、実施の形態１と同様である。さらに、アラーム装置１２０と机２００により机アラームシステム３２０を構成する点についても、実施の形態１と同様である。
【００３８】
前述の実施の形態２では、アラーム装置２１０として会議室４００の入り口近傍に設置されたコンピュータを用いる構成であるのに対して、本実施の形態３は、会議室４００の室内に設置したコンピュータを用いてアラーム装置１２０を構成するものである。
【００３９】
アラーム装置１２０の具体的なハードウェア構成は携帯可能なコンピュータである必要はなく、例えば据え置き型のパーソナル・コンピュータを用いてもよい。ただし、前述のように、本実施の形態３は、実施の形態１と同様に近距離無線通信によりアラーム装置１２０と机２００が通信する構成であり、アラーム装置１２０として用いるコンピュータは近距離無線通信を行う通信装置を備えている必要がある。
【００４０】
また、本実施の形態３では、アラーム装置１２０が会議室４００の室内に設置されている。会議室４００の壁等に電波を遮蔽する材質を用いられている場合には、会議室４００の室外側から会議室４００の室内に設置された机２００との近距離無線通信を行うことができない場合があるが、本実施の形態３ではアラーム装置１２０を会議室４００の室内側に設置することにより、会議室４００の壁が電波を遮蔽する場合であっても、アラーム装置１２０による設定時刻の通知を行うことができる。
【００４１】
［実施の形態４］
図５は、本発明の実施の形態４の構成を示した図である。図５で示すように、本実施の形態４は、アラーム装置１３０が机２００と通信ネットワーク５００を介して接続されている。なお、通信ネットワークはインターネットその他の広域ネットワークでもよいし、ローカルエリアネットワーク（ＬＡＮ）でもよい。
【００４２】
前述の実施の形態１〜３は、アラーム装置１００、１１０、１２０と机２００の通信に近距離無線通信を使用するが、本実施の形態４では、アラーム装置１３０は机２００と通信ネットワークを介して接続されており、ＴＣＰ／ＩＰその他の通信プロトコルを用いて通信を行う。したがって、アラーム装置１３０は机２００が配置される会議室４００の室内等に設置される必要はなく、例えば、データセンタ等遠隔地に設置されたサーバを用いる構成としてよい。なお、通信に使用する通信プロトコルは周知の通信プロトコルを使用してよい。
【００４３】
本実施の形態４に係るアラーム装置１３０は、時刻設定手段１３１と、昇降命令送信手段１３２に加えて、利用予約登録手段１３３を備えている。時刻設定手段１３１及び昇降命令送信手段１３２は、アラーム装置１１０と机２００との通信を近距離無線通信ではなく、通信ネットワークを介した通信を行う点を除いて、実施の形態１における時刻設定手段１０１及び昇降命令送信手段１０２と同様の構成である。また、昇降命令手段１３２が送信する昇降命令についても、実施の形態１と同様の構成である。アラーム装置１３０と机２００により机アラームシステム３３０が構成されることについても、実施の形態１と同様である。
【００４４】
利用予約登録手段１３３は会議室４００の利用予約をアラーム装置１３０に登録する。具体的には、利用者があらかじめ会議室４００を利用する開始時刻及び終了時刻をアラーム装置１３０に登録することで、会議室４００の利用予約を行う。
【００４５】
利用予約登録手段１３３により利用予約が登録されると、アラーム装置１３０は時刻設定手段１３１により当該登録された利用予約の終了時刻に基づいて通知する時刻を設定する。設定する時刻は、終了時刻そのものを通知する時刻として設定してもよいし、終了時刻の所定時間前、例えば終了時刻の１０分前となる時刻を設定してもよい。
【００４６】
時刻設定手段１３１により時刻が設定されると、当該時刻に到達したタイミングで昇降命令送信手段１３２が昇降命令を机２００に送信し、机２００の天板２０１が小刻みに昇降することで当該設定した時刻を利用者に通知する。なお、本実施の形態４における昇降命令は、実施の形態１と同様に、略３８ｍｍ／ｓの速度において７ｍｍ〜１０ｍｍの範囲で二回又は三回、天板２０１を上昇及び下降させるものである。
【００４７】
本実施の形態４に係るアラーム装置１３０は、机２００との通信を、通信ネットワークを介して行う。この構成により、アラーム装置１３０を机２００の近傍に設置する必要がないので、アラーム装置１３０の設置場所を自由に設定することができる。また、アラーム装置１３０は利用者予約登録手段１３３を備えることにより、会議室４００の利用予約管理装置としての機能を兼ねることができる。例えば、すでに利用者予約登録手段１３３を備える会議室予約システム等が導入済みの環境において、当該利用者予約登録手段１３３を備えるサーバに時刻設定手段１３１と昇降命令送信手段１３２を追加することにより、別途のハードウェア設備を追加することなくアラーム装置１３０として機能させることができる。
【００４８】
本発明の実施の形態の説明は以上である。なお、本発明の実施の形態は前述の形態に限られない。例えば、アラーム装置は単一のコンピュータではなく、二台以上のコンピュータを用いて構成するようにしてもよい。この場合には、例えば、データセンタ等の遠隔地に設置され時刻設定手段を実行するコンピュータと、机の近傍に設置され昇降命令送信手段を実行するコンピュータが通信ネットワークを介して接続するようにアラーム装置を構成し、昇降命令送信手段を実行するコンピュータが机と近距離無線通信により通信するようにしてもよい。
【００４９】
また、実施の形態１〜４では、アラーム装置を利用者が所持するスマートフォンやタブレット型コンピュータ、据え置き型のパーソナル・コンピュータその他の汎用のコンピュータを用いて構成し、アラーム装置としての機能はソフトウェアにより発揮するよう構成しているが、本発明に係るアラーム装置は、アラーム装置としての機能をハードウェアにより発揮する専用のコンピュータにより構成するようにしてもよい。
【００５０】
その他の構成についても、本発明の趣旨を逸脱しない範囲において様々な変更が可能である。
【符号の説明】
【００５１】
１００  アラーム装置
１０１  時刻設定手段
１０２  昇降命令送信手段
２００  机
２０１  天板
２０２  支柱
２０３  脚
２０４  昇降装置
３００  机アラームシステム
４００  会議室
【図１】
2020106442.tif 000003
【図２】
2020106442.tif 000004
【図３】
2020106442.tif 000005
【図４】
2020106442.tif 000006
【図５】
2020106442.tif 000007